(57)【要約】【課題】フープ材の片端を鉤状に折り曲げる必要がなく、しかも接続すべきフープ材が接合対象にしっかり押し当てられて確実な接合が得られる部材の接合構造を提供する。【解決手段】接合対象である平板１１に楔片１２を対向させ間隔を開けて固着し、この楔片１２に二枚のフープ材１３の接合端１３ｅ寄りに穿設した孔１４を嵌め合わせ、このフープ材１３の中間に挟み込み片１５を介在し、自由端に絞り込み部材１６を嵌めることにより、嵌め合わされた上記孔１４の内面が楔片１２の楔面１２ｆを滑ってフープ材１３の接合端１３ｅが平板１１に押し当てられるようにしてなる構成を採用したものであり、上記フープ材１３の自由端長手方向に割り込み溝１７を設け、この割り込み溝１７に雌ねじ１８が嵌り、この雌ねじ１８と一体の絞り込み部材１６をフープ材１３の自由端に嵌め込み、上記雌ねじ１８にノブ１９と一体の雄ねじ２０を螺合してなる。【選択図】  図１
2005127479.tif 000002
【特許請求の範囲】
【請求項１】
接合対象に楔片を対向させ間隔を開けて固着し、この楔片に二枚のフープ材の接合端寄りに穿設した孔を嵌め合わせ、このフープ材の中間に挟み込み片を介在し、自由端に絞り込み部材を嵌めることにより、嵌め合わされた上記孔の内面が楔片の楔面を滑ってフープ材の接合端が接合対象に押し当てられるようにしてなる部材の接合構造。
【請求項２】
上記フープ材の自由端長手方向に割り込み溝を設け、この割り込み溝に雌ねじが嵌り、この雌ねじと一体の絞り込み部材をフープ材の自由端に嵌め込み、上記雌ねじにノブ付き雄ねじを螺合してなる請求項１に記載の部材の接合構造。
【請求項３】
二組の上記部材の接合構造のフープ材の自由端を同一軸上で対向させ、フープ材の自由端に設けた割り込み溝のそれぞれに、右・左ねじの雌ねじが嵌り、この雌ねじと一体の絞り込み部材をフープ材の自由端に嵌め込み、上記各雌ねじにノブを中央にして右・左の雄ねじを螺合してなる請求項２に記載の部材の接合構造。
【発明の詳細な説明】
【技術分野】
【０００１】
この発明は、部材を互いに接合する構造に関する。
【背景技術】
【０００２】
本出願人は、特願２００３−５３９０９号（平成１５年２月２８日出願）の請求項１３および図１２で「片端を鉤状に折り曲げた二枚のフープ材０２の鉤部（鉤状折り曲げ部０４）を、上記鉤状折り曲げ部０４を引っ掛け溝（アリ溝０８）に差込み、上記フープ材０２の中間に挟み込み片（ボール０５）を介在し、（自由端にキャップ０６を被せて）自由端を絞りこむことにより、上記引っ掛け溝（アリ溝０８）にフープ材０２の鉤部（鉤状折り曲げ部０４）を突っ張らせてなる部材の接合構造」を提案した。
【発明の開示】
【発明が解決しようとする課題】
【０００３】
上記提案の技術は、引き続く検討の結果フープ材の片端を鉤状に折り曲げなければならないことと、フープ材の端を接合対象に押し当てる力が不足して確実な固定状態が得られないことが判明した。
【０００４】
本発明は上記従来技術の問題に鑑み、フープ材の片端を鉤状に折り曲げる必要がなく、しかも接合すべきフープ材が接合対象にしっかり押し当てられて確実な接合が得られる部材の接合構造を提供することを課題とする。
【課題を解決するための手段】
【０００５】
上記課題を解決するためにこの発明は、接合対象に楔片を対向させ間隔を開けて固着し、この楔片に二枚のフープ材の接合端寄りに穿設した孔を嵌め合わせ、このフープ材の中間に挟み込み片を介在し、自由端に絞り込み部材を嵌めることにより、嵌め合わされた上記孔の内面が楔片の楔面を滑ってフープ材の接合端が接合対象に押し当てられるようにしてなる構成を採用したものである。
【０００６】
また、上記フープ材の自由端長手方向に割り込み溝を設け、この割り込み溝に雌ねじが嵌り、この雌ねじと一体の絞り込み部材をフープ材の自由端に嵌め込み、上記雌ねじにノブ付き雄ねじを螺合してなる構成とすることもできる。
【０００７】
また、二組の上記部材の接合構造のフープ材の自由端を同一軸上で対向させ、フープ材の自由端に設けた割り込み溝のそれぞれに、右・左ねじの雌ねじが嵌り、この雌ねじと一体の絞り込み部材をフープ材の自由端に嵌め込み、上記各雌ねじにノブを中央にして右・左の雄ねじを螺合してなる構成とすることもできる。
【発明の効果】
【０００８】
上記の如く構成するこの発明によれば、フープ材の片端を鉤状に折り曲げる必要がなく、しかも接合されたフープ材が接合対象にしっかり押し当てられて確実に接合され、絞り込み部材を上記のような構成とすることにより、フープ材がテーブルの脚などに採用されたとき長さ調整が可能なものとなる。また、二個の部材の接合構造を同一軸方向に対向して、ターンバックル構造で繋ぐことにより、長さ調整可能な柱として活用できる。
【発明を実施するための最良の形態】
【０００９】
次にこの発明の実施の形態を、図面を参照しながら説明する。図示しないテーブルの裏面にビスネジで取り付けられる平板１１である接合対象に、楔片１２を対向させ間隔を開けて固着し、この楔片１２に二枚のフープ材１３の接合端寄りに穿設した孔１４を嵌め合わせ、このフープ材１３の中間に挟み込み片１５を介在し、自由端に絞り込み部材１６を嵌めて絞り込む。
【００１０】
このようにすると、嵌め合わされたフープ材１３の孔１４の内面が楔片１２の楔面１２ｆを滑って、その接合端１３ｅが接合対象である平板１１に押し当てられて、平板１１とフープ材１３とが確実に接合される。
【００１１】
上記フープ材１３の自由端には、長手方向の割り込み溝１７を設けられ、この割り込み溝１７には絞り込み部材１６と一体の雌ねじ１８が嵌り、フープ材１３の自由端の外側から絞り込み部材１６が被せられ、上記雌ねじ１８にノブ１９と一体の雄ねじ２０を螺合している。
【００１２】
上記楔片１２の楔面１２ｆは、円弧状になっているが単なる楔面としてもよく、球面とし、孔をこれに対応した円孔にしても良い。
【００１３】
また、上記挟み込み片１５は方形の各縁を傾斜カットしたものとしたが、美観を高めるためのもので形状に拘るものではなく、要するにフープ材１３の自由端が絞り込まれたとき、挟み込み片１５が支点となって接合端１３ｅが外に広がろうとし楔面１２ｆの作用により接合端１３ｅが接合対象である平板１１に押し付けられるような作用を発揮するものであればよい。なお、２１は接合状態を安定させるためのノックピンであり、２２はフープ材１３の自由端の位置決めをする突起、２３は意匠性向上のため、または重量調整のための空孔である。
【００１４】
上記実施形態の素材はステンレススチールを採用したが、素材に一定の弾性があり、上記作用を発揮できるもので、相応の強度のあるものであれば、他の金属材料、プラスチック材料を採用することができる。
【００１５】
さらに、図１において一点鎖線で示しているように二組の部材の接合部材（フープ材１３）の自由端に設けた割り込み溝１７のそれぞれに右・左ねじの雌ねじ１８を嵌めいれ、この雌ねじにノブ１９を中央にして右・左ねじの雄ねじ螺合した所謂ターンバックル構造で繋ぐならば、床面と天井間に突っ張った柱とすることができる。
【図面の簡単な説明】
【００１６】
【図１】この発明に係る実施形態の斜視図
【図２】（ａ）フープの自由端絞り込み部分斜視図、（ｂ）接合部と絞り込み部分の断面図
【図３】従来技術に係る部材接合構造の断面図
【符号の説明】
【００１７】
１１  平板
１２  楔片
１２ｆ  楔面
１３  フープ材
１３ｅ  接合端
１４  孔
１５  挟み込み片
１６  絞り込み部材
１７  割り込み溝
１８  雌ねじ
１９  ノブ
２０  雄ねじ
２１  ノックピン
２２  突起
２３  空孔
【図１】
2005127479.tif 000003
【図２】
2005127479.tif 000004
【図３】
2005127479.tif 000005